(57)【要約】【課題】構成が簡単で、しかも表示画像のコントラストの劣化を適切に補正することができる表示データ補正回路を提供する。【解決手段】Ｒ補正部１１ｒは、Ｒカラーデータを他のカラーデータと比較し、その差が第１の一定値以下であった場合にＲカラーデータをそのまま出力し、Ｒカラーデータが他のカラーデータより第２の一定値以上大きかった場合はＲカラーデータに第３の一定値を加算して出力し、Ｒカラーデータが他のカラーデータより第４の一定値以上小さかった場合はＲカラーデータから第５の一定値を減算して出力する。Ｇ補正部１１ｇ、Ｂ補正部１１ｂも同様の処理を行う。【選択図】    図１
2005020274.tif 000002
【特許請求の範囲】
【請求項１】
複数のカラーデータを補正し表示用データとして出力する表示データ補正回路において、
一のカラーデータを他のカラーデータと比較し、その差が第１の一定値以下であった場合に前記一のカラーデータをそのまま出力し、前記一のカラーデータが他のカラーデータより第２の一定値以上大きかった場合は前記一のカラーデータに第３の一定値を加算して出力し、前記一のカラーデータが他のカラーデータより第４の一定値以上小さかった場合は前記一のカラーデータから第５の一定値を減算して出力する補正部を前記複数のカラーデータの各々について設けたことを特徴とする表示データ補正回路。
【請求項２】
前記補正部は、前記一のカラーデータが第６の一定値より大きかった場合に前記一のカラーデータを最大データに変換して出力すると共に、前記一のカラーデータが第７の一定値より小さかった場合に前記一のカラーデータを最小データに変換して出力する機能をさらに具備することを特徴とする請求項１に記載の表示データ補正回路。
【請求項３】
前記複数のカラーデータはＲ、Ｇ、Ｂカラーデータであり、前記第３の一定値および前記第５の一定値はＲ、Ｇ、Ｂカラーデータの各補正部毎に値が異なることを特徴とする請求項１または請求項２に記載の表示データ補正回路。
【発明の詳細な説明】
【０００１】
【発明の属する技術分野】
この発明は、カラーＳＴＮ液晶表示装置等に用いて好適な表示データ補正回路に関する。
【０００２】
【従来の技術】
テレビジョン、ＤＶＤ、デジカメ等に用いらるＮＴＳＣ方式またはＰＡＬ方式のコンポジットビデオ信号をカラーＳＴＮ液晶表示装置に表示させる場合、アナログ信号のコンポジットビデオ信号をディジタルデータに変換するため、表示画像のコントラストが劣化する問題がある。図７にデータ劣化の状態を示す、
従来、このような表示特性の劣化を補正する方法として、特許文献１にも記載されているガンマ補正等の方法が知られている。しかし、コンポジットビデオ信号をカラーＳＴＮ液晶表示装置に表示させる場合、このガンマ補正のような補正方法では好ましい結果を得ることができない。
【０００３】
【特許文献１】
特開平９−１７１３７３号公報
【０００４】
【発明が解決しようとする課題】
本発明は上記事情を考慮してなされたもので、その目的は、構成が簡単で、しかも表示画像のコントラストの劣化を適切に補正することができる表示データ補正回路を提供することにある。
【０００５】
【課題を解決するための手段】
この発明は上記の課題を解決するためになされたもので、請求項１に記載の発明は、複数のカラーデータを補正し表示用データとして出力する表示データ補正回路において、一のカラーデータを他のカラーデータと比較し、その差が第１の一定値以下であった場合に前記一のカラーデータをそのまま出力し、前記一のカラーデータが他のカラーデータより第２の一定値以上大きかった場合は前記一のカラーデータに第３の一定値を加算して出力し、前記一のカラーデータが他のカラーデータより第４の一定値以上小さかった場合は前記一のカラーデータから第５の一定値を減算して出力する補正部を前記複数のカラーデータの各々について設けたことを特徴とする表示データ補正回路である。
【０００６】
請求項２に記載の発明は、請求項１に記載の表示データ補正回路において、前記補正部は、前記一のカラーデータが第６の一定値より大きかった場合に前記一のカラーデータを最大データに変換して出力すると共に、前記一のカラーデータが第７の一定値より小さかった場合に前記一のカラーデータを最小データに変換して出力する機能をさらに具備することを特徴とする。
請求項３に記載の発明は、請求項１または請求項２に記載の表示データ補正回路において、前記複数のカラーデータはＲ、Ｇ、Ｂカラーデータであり、前記第３の一定値および前記第５の一定値はＲ、Ｇ、Ｂカラーデータの各補正部毎に値が異なることを特徴とする。
【０００７】
【発明の実施の形態】
以下、図面を参照し、この発明の実施の形態について説明する。図１はこの発明の一実施の形態による補正回路１の構成を示すブロック図、図２は同補正回路１を用いた表示コントローラの構成を示すブロック図である。図２において、符号２はビデオ信号変換部であり、コンポジットビデオ信号から垂直同期信号ＶＳＹＮＣ、水平同期信号ＨＳＹＮＣ、ドットクロックＤＯＹＣＬＫを抽出すると共に、コンポジットビデオ信号に含まれるカラー信号を各８ビットのＲ（レッド）、Ｇ（グリーン）、Ｂ（ブルー）カラーデータに変換し、Ｒ、Ｇ、Ｂカラーデータを補正回路１へ、垂直同期信号ＶＳＹＮＣ、水平同期信号ＨＳＹＮＣ、ドットクロックＤＯＹＣＬＫをＩ／Ｆ変換部３へ出力する。
【０００８】
補正回路１は各８ビットのＲ、Ｇ、Ｂカラーデータを１６ビットの合成カラーデータに変換し、Ｉ／Ｆ変換部３へ出力する。Ｉ／Ｆ変換部３は、垂直同期信号ＶＳＹＮＣ、水平同期信号ＨＳＹＮＣ、ドットクロックＤＯＹＣＬＫおよび補正回路から出力される合成カラーデータに基づいて表示装置用の表示データを生成し、液晶表示装置へ出力する。
【０００９】
次に、補正回路１について、図１、図４を参照して詳述する。図１において、１１ｒはＲカラーデータを補正するＲ補正部であり、比較器１２ｒと、変換テーブル１３ｒとから構成されている。同様に、１１ｇはＧカラーデータを補正するＧ補正部であり、比較器１２ｇと、変換テーブル１３ｇとから構成され、１１ｂはＢカラーデータを補正するＢ補正部であり、比較器１２ｂと、変換テーブル１３ｂとから構成されている。これらのＲ、Ｇ、Ｂ補正部１１ｒ、１１ｇ、１１ｂはいずれも同一構成であり、以下、Ｒ補正部１１ｒについて説明する。
【００１０】
まず、比較器１２ｒはＲカラーデータと、Ｇ、Ｂカラーデータおよび一定値とを比較し、その結果にしたがって次の「１」〜「５」のデータを変換テーブル１３ｒへ出力する。
１…Ｒカラーデータの値が予め設定された一定値「１０ｈ」（ｈは１６進数    を表す）より小さい場合。
２…Ｒカラーデータの値が予め設定された一定値「Ｃ０ｈ」より大きい場合。
３…図３（イ）に示すように、Ｒ、Ｇ、Ｂカラーデータの値に大差がない場合（差が一定値より小）。
４…図３（ロ）に示すように、Ｒカラーデータの値がＧ、Ｂカラーデータの値より十分大きい場合（差が一定値より大）。
５…図３（ハ）に示すように、Ｒカラーデータの値がＧ、Ｂカラーデータの値より十分小さい場合（差が一定値より大）。
【００１１】
変換テーブル１３ｒは、図４に示すように、データ「ＦＦｈ」を出力するデータ出力回路２１と、データ「００ｈ」を出力するデータ出力回路２２と、一定値「１０ｈ」が記憶されたレジスタ２３と、ビデオ信号変換部２から出力されるＲカラーデータにレジスタ２３内のデータを加算する加算器２４と、一定値「１０ｈ」が記憶されたレジスタ２５と、ビデオ信号変換部２から出力されるＲカラーデータからレジスタ２５内のデータを減算する減算器２６と、マルチプレクサ２７とから構成されている。そして、マルチプレクサ２７は、比較器１２ｒの出力が「１」の時入力端１のデータ「ＦＦｈ」を出力し、「２」の時入力端２のデータ「００ｈ」を出力し、「３」の時入力端３へ供給されるＲカラーデータを出力し、「４」の時加算器２４の出力データを出力し、「５」の時減算器２６の出力データを出力する。
【００１２】
このように、Ｒ補正部１１ｒは、Ｒカラーデータの値が予め設定された一定値「１０ｈ」より小さい場合はそのデータを「００ｈ」に変換して出力し、Ｒカラーデータの値が予め設定された一定値「Ｃ０ｈ」より大きい場合はそのデータを「ＦＦｈ」に変換して出力し、Ｒカラーデータの値にＧ、Ｂカラーデータの値と大差がない場合はそのまま出力し、Ｒカラーデータの値がＧ、Ｂカラーデータの値より十分大きい場合は、そのデータに一定値「１０ｈ」を加算して出力し（図３（ロ）の破線参照）、また、Ｒカラーデータの値がＧ、Ｂカラーデータの値より十分小さい場合は、そのデータから一定値「１０ｈ」を減算して出力する（図３（ハ）の破線参照）。
【００１３】
Ｇ補正部１１ｇ、Ｂ補正部１１ｂも、ビデオ信号変換部２から出力されるＧカラーデータ、Ｂカラーデータに同様の補正を行って出力する。そして、補正回路１は、図５に示すように、Ｒ補正部１１ｒの出力データの上位５ビット、Ｇ補正部１１ｇの出力データの上位６ビット、Ｂ補正部１１ｂの出力データの上位５ビットを合成して１６ビットの表示データとし、Ｉ／Ｆ変換部３へ出力する。
【００１４】
なお、表示色を観察した場合、Ｇ色が弱く感じることが多い。したがって、Ｇ補正部１１ｇのレジスタ２３内のデータを他のＲ、Ｂ補正部１１ｒ、１１ｂのレジスタ２３内のデータより大きくすることが望ましい。
図６は上述した補正回路１の効果を示す図である。この図に示すように、上記の補正回路１によれば、Ｒ、Ｇ、Ｂの各表示色がより鮮明になると共に、Ｒ、Ｇ、Ｂそれぞれ独立して色を変化させることにより表示画面全体を明るくすることができる。また、背景がはっきりする効果も得られる。
【００１５】
【発明の効果】
以上説明したように、この発明によれば、一のカラーデータを他のカラーデータと比較し、その差が第１の一定値以下であった場合に前記一のカラーデータをそのまま出力し、前記一のカラーデータが他のカラーデータより第２の一定値以上大きかった場合は前記一のカラーデータに第３の一定値を加算して出力し、前記一のカラーデータが他のカラーデータより第４の一定値以上小さかった場合は前記一のカラーデータから第５の一定値を減算して出力する補正部を前記複数のカラーデータの各々について設けたので、簡単な構成で表示画像のコントラストの劣化を適切に補正することができる効果が得られる。また、画面全体を明るくすることができる効果も得られる。
【００１６】
また、この発明によれば、補正部に、一のカラーデータが第６の一定値より大きかった場合に一のカラーデータを最大データに変換して出力すると共に、一のカラーデータが第７の一定値より小さかった場合に一のカラーデータを最小データに変換して出力する機能をさらに設けたので、各カラーデータに対応する表示色がより鮮明になる効果がある。
【図面の簡単な説明】
【図１】この発明の一実施形態による表示データ補正回路の構成を示すブロック図である。
【図２】同表示データ補正回路を用いた表示コントローラの構成を示すブロック図である。
【図３】同表示データ補正回路の動作を説明するための図である。
【図４】同表示データ補正回路における変換テーブル１３ｒの構成を示すブロック図である。
【図５】同表示データ補正回路の出力データを説明するための図である。
【図６】同表示データ補正回路の効果を説明するための図である。
【図７】従来の表示データ補正回路におけるコントラスト劣化の特性を示す図である。
【符号の説明】
１…補正回路、１１ｒ…Ｒ補正部、１１ｇ…Ｇ補正部、１１ｂ…Ｂ補正部、１２ｒ、１２ｇ、１２ｂ…比較器、１３ｒ、１３ｇ、１３ｂ…変換テーブル。
【図１】
2005020274.tif 000003
【図２】
2005020274.tif 000004
【図３】
2005020274.tif 000005
【図４】
2005020274.tif 000006
【図５】
2005020274.tif 000007
【図６】
2005020274.tif 000008
【図７】
2005020274.tif 000009